【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
カラムクロマトグラフィ用の装置であって、
円筒状のクロマトグラフィカラムを備え、前記カラムが注入口と流出口とを有し、
前記注入口が、試料を担持する前記カラム内に移動相の流れを導入するように構成されており、それにより、前記試料が前記移動相により運ばれて前記カラム内を前記注入口から前記流出口まで長手方向に進む際に前記試料が成分に分離し、
前記注入口が、さらに、移動相の前記流れを独立して制御可能な少なくとも２つの別個の部分で前記カラム内に導入するように構成されており、かつ前記部分が前記カラム内を異なる半径方向領域において長手方向に流れるように、前記部分を前記カラムの異なる半径方向領域内に導入するように構成されている、装置。
【請求項２】
各部分の試料濃度または各部分の流速もしくは両方が独立して制御可能である、請求項１に記載の装置。
【請求項３】
分離される前記試料が、前記部分の１つに、他の部分よりも高い濃度で含まれる、請求項１または２に記載の装置。
【請求項４】
移動相の第１の部分が、前記カラムの中心半径方向領域内に導入され、
移動相の第２の部分が、前記中心半径方向領域の半径方向外側に位置しかつ前記中心半径方向領域を環状に取り囲む周辺半径方向領域内に導入され、
前記カラムの前記中心半径方向領域が、前記カラム内を前記注入口から前記流出口までを貫通する中心軸線上に実質的に位置する領域である、請求項１〜３のいずれか一項に記載の装置。
【請求項５】
分離される前記試料が、移動相の前記第１の部分に実質的に含まれる、請求項４に記載の装置。
【請求項６】
前記注入口に、前記移動相を少なくとも２つの別個の部分に区分化するように構成されたフリットアセンブリが設けられている、請求項１〜５のいずれか一項に記載の装置。
【請求項７】
前記フリットアセンブリが、流れ障壁によって分離された少なくとも２つの別個のフリットセクションを含む、請求項６に記載の装置。
【請求項８】
前記カラムが前記注入口に入口流分配器を有し、前記入口流分配器内の別個の流路において前記移動相の前記少なくとも２つの別個の部分を運ぶ、請求項１〜７のいずれか一項に記載の装置。
【請求項９】
前記入口流分配器が、
少なくとも１つの流路の第１のセットであって、使用時、前記第１のセットが前記カラムの第１の半径方向領域内にあり、移動相の第１の部分を前記カラムの第１の半径方向領域に運ぶように配置された少なくとも１つの流路の第１のセットと、
少なくとも１つの流路の第２のセットであって、使用時、前記第２のセットが前記カラムの第２の半径方向領域内にあり、移動相の第２の部分を前記カラムの第２の半径方向領域に運ぶように配置された少なくとも１つの流路の第２のセットと、
を含み、
前記第１のセットがある前記カラムの前記第１の半径方向領域が中心半径方向領域であり、前記第２のセットがある前記カラムの前記第２の半径方向領域が前記中心半径方向領域の半径方向外側に位置する周辺半径方向領域である、請求項８に記載の装置。
【請求項１０】
前記入口流分配器が、使用時、前記フリットアセンブリの１つまたは複数の非多孔質部品に接触しているため、前記フリットアセンブリの前記１つまたは複数の非多孔質部品が前記フリットと前記流分配器との間にシールを提供し、それによって移動相流の隣接する部分を互いに密封する、請求項６または７のいずれかに従属する場合の、請求項８又は９に記載の装置。
【請求項１１】
前記移動相が単一部分として処理される溶離液の流れとして前記カラムを出て、
溶離液の前記流れが単一出口ポートを通じて前記カラムを出る、請求項１〜１０のいずれか一項に記載の装置。
【請求項１２】
前記移動相が溶離液の流れとして前記カラムを出て、前記流出口が、前記溶離液の流れを、前記溶離液の流れが前記流出口から前記カラムを出る際に少なくとも２つの別個の溶離液部分に分割するように構成されており、
前記装置が前記溶離液部分を別個に処理するように構成されており、
溶離液の前記少なくとも２つの別個の部分が前記カラムの異なる半径方向領域から出る、請求項１〜１１のいずれか一項に記載の装置。
【請求項１３】
移動相の前記別個の部分が前記注入口によって導入されると、溶離液の前記少なくとも２つの別個の部分が前記カラムの実質的に同じ半径方向領域から出る、請求項１２に記載の装置。
【請求項１４】
前記流出口に、溶離液の前記流れを前記少なくとも２つの別個の部分に分割するように構成されたフリットアセンブリが設けられ、
前記フリットアセンブリが、流れ障壁によって分離された少なくとも２つの別個のフリットセクションを含む、請求項１２又は１３に記載の装置。
【請求項１５】
前記フリットが、少なくとも１つの半径方向中心フリットセクションと、前記少なくとも１つの中心フリットセクションを取り囲む流れ障壁と、前記少なくとも１つの中心フリットセクションを取り囲み、前記少なくとも１つの中心フリットセクションから前記流れ障壁によって分離された少なくとも１つの半径方向外側フリットセクションと、を含む、請求項１４に記載の装置。
【請求項１６】
前記カラムが前記流出口に出口流分配器を有し、前記出口流分配器内の別個の流路内において前記溶離液流の前記少なくとも２つの別個の部分を運ぶ、請求項１２〜１５のいずれか一項に記載の装置。
【請求項１７】
前記溶離液の少なくとも１つの部分を、１つまたは複数の他の部分とは別個に検出するように配置された検出器を含む、請求項１２〜１６のいずれか一項に記載の装置。
【請求項１８】
前記カラムが、高速液体クロマトグラフィ（ＨＰＬＣ）、超高速液体クロマトグラフィ（ＵＨＰＬＣ）、多次元または二次元高速液体クロマトグラフィ（ＭＤＨＰＬＣまたは２ＤＨＰＬＣ）、フラッシュカラムクロマトグラフィ、高速タンパク質液体クロマトグラフィ（ＦＰＬＣ）および超臨界流体（ＳＣＦ）クロマトグラフィから選択される分析クロマトグラフィ用のカラムである、請求項１〜１７のいずれか一項に記載の装置。
【請求項１９】
円筒状のクロマトグラフィカラムの注入口に独立して制御可能な移動相の少なくとも２つの別個の部分を提供するステップであって、前記移動相の少なくとも２つの別個の部分の少なくとも１つが成分に分離される試料を含む、ステップと、
前記移動相の少なくとも２つの別個の部分を前記カラムの異なる半径方向領域内に導入するステップと、
前記試料を成分に分離するために、移動相の前記部分を、前記カラム内を前記異なる半径方向領域において前記カラムの前記注入口から前記カラムの流出口まで長手方向に流すステップと、
を含む、カラムクロマトグラフィの方法。
【請求項２０】
移動相の第１の部分を前記カラムの中心半径方向領域内に、および移動相の第２の部分を、前記中心半径方向領域の半径方向外側に位置しかつ前記中心半径方向領域を環状に取り囲む周辺半径方向領域内に導入するステップを含み、
分離される前記試料が、移動相の前記第１の部分に実質的に含まれる、請求項１９に記載の方法。
【請求項２１】
前記注入口に、前記移動相を少なくとも２つの別個の部分に区分化するように構成されたフリットアセンブリを提供するステップを含み、
前記フリットアセンブリが、流れ障壁によって分離された少なくとも２つの別個のフリットセクションを含む、請求項１９又は２０に記載の方法。
【請求項２２】
溶離液の前記流れが単一出口ポートを通じて前記カラムを出る、請求項１９に記載の方法。
【請求項２３】
前記移動相が溶離液の流れとして前記カラムを出て、前記流出口が、前記溶離液の流れを、前記溶離液の流れが前記流出口から前記カラムを出る際に少なくとも２つの別個の溶離液部分に分割するように構成されており、
装置が前記溶離液部分を別個に処理するように構成されており、
溶離液の前記少なくとも２つの別個の部分が前記カラムの異なる半径方向領域から出る、請求項１９〜２１のいずれか一項に記載の方法。
【請求項２４】
移動相の前記別個の部分が前記注入口によって導入されると、溶離液の前記少なくとも２つの別個の部分が前記カラムの実質的に同じ半径方向領域から出る、請求項２３に記載の方法。
【請求項２５】
溶離液の第１の部分が、前記カラムの中心半径方向領域から出て、溶離液の第２の部分が、前記中心半径方向領域の半径方向外側に位置する周辺半径方向領域から出る、請求項２３または２４に記載の方法。
【請求項２６】
前記流出口に、溶離液の前記流れを前記少なくとも２つの別個の部分に分割するように構成されたフリットアセンブリが設けられる、請求項２３〜２５のいずれか一項に記載の方法。
【請求項２７】
前記フリットアセンブリが、流れ障壁によって分離された少なくとも２つの別個のフリットセクションを含む、請求項２６に記載の方法。
【請求項２８】
前記フリットが、少なくとも１つの半径方向中心フリットセクションと、前記少なくとも１つの中心フリットセクションを取り囲む流れ障壁と、前記少なくとも１つの中心フリットセクションを取り囲み、前記少なくとも１つの中心フリットセクションから前記流れ障壁によって分離された少なくとも１つの半径方向外側フリットセクションと、を含む、請求項２７に記載の方法。